(57)【要約】【課題】医師から処方を受け、調剤薬局で受け取った薬品について、視覚障害者や高齢者が帰宅後も服用方法や禁忌事項などの薬品情報を、音声によって確認できるシステムを提供する。【解決手段】調剤薬局に設置された情報処理端末に、患者が受け取った処方箋に記載されいる薬品を特定する番号およびバーコードを認識させると、前記薬品の音声情報はプログラムによって抽出され外部記憶媒体にコピーできる。患者は前記外部記憶媒体を持ち帰り、帰宅後も処方された薬品の音声情報を確認できる。【選択図】図１
2009093300.tif 000002
【特許請求の範囲】
【請求項１】
外部に設置されているサーバと、調剤薬局内に設置された情報処理端末がネットワークを介して接続され、
前記情報処理端末は前記サーバにアクセスを行う手段と、
該サーバに受信したい薬品を指定する手段と、
該サーバから送信される薬品の音声情報を受信する手段と、
受信した薬品の音声情報を該情報処理端末の外部記憶装置にコピーする手段と、
を備えることを特徴とする薬品情報の音声配信システム。
【請求項２】
前記サーバから受信したい薬品は、前記情報処理端末に接続されているバーコード読み取り機から読み取ることの出来るバーコードか、該情報処理端末に接続されているキーボードから入力される薬品番号によって指定することが出来、該情報処理端末のデータベースに存在しない薬品についてのみ該サーバから自動的に受信することを特徴とする請求項１記載の薬品情報の音声配信システム。
【請求項３】
前記情報処理端末が設置される薬局は、薬品情報の音声配信システムの会員であることを特徴とする請求項１、又は２記載の薬品情報の音声配信システム。
【請求項４】
サーバと、店舗内に設置された情報処理端末とがネットワークを介して接続されたシステムに使用されるプログラムであって、
前記情報処理端末から前記サーバにアクセスを行う機能と、
該サーバから送信される薬品の音声情報を受信する機能と、
を少なくとも有し、コンピュータが実行可能な薬品情報の音声配信システム。
【発明の詳細な説明】
【技術分野】
【０００１】
本発明は、調剤薬局のカウンターに設けられた情報処理端末を使用して薬品情報を音声データとして提供するシステムに関するものである。
【背景技術】
【０００２】
一般に、病院あるいは医院において該当医師の診察後、その医師は患者の症状にあった薬の処方箋を発行する。
【０００３】
患者は病院あるいは医院の窓口にて前記医師が発行した処方箋を受け取って調剤薬局に出向く。
【０００４】
患者は、例えば特許文献１にあるように、調剤薬局において、薬剤師より薬の薬効あるいは服薬指導を受けて、前記医師の処方箋に基づく薬を受け取る。
【特許文献１】特開２００３−４７６４３号公報
【発明の開示】
【発明が解決しようとする課題】
【０００５】
しかしながら、視覚障害者や高齢者の場合、帰宅後に薬品情報を確認する手段として不十分であることは否めない。
【０００６】
よって薬を服用する患者側では、服用方法や服用に関する注意事項を帰宅後に忘れてしまった場合、再確認するために調剤薬局や医師へ問い合わせなければならず、問合せ先や前記医師および前記薬剤師を調べ、また電話口にて薬剤師や医師の手があくまで待たねばならない。しかし、実際にはこのような問い合わせはなく、服用方法や禁忌事項を理解しないで薬を服用してしまう。
【０００７】
そこで、本発明は、調剤薬局に設置した、専用のプログラムがインストールされた情報処理端末に、外部記憶装置を接続することによって薬品の音声情報を提供し、帰宅後も患者が処方された薬の薬品情報を聞く事が出来る薬品情報の音声配信システムを提供するものである。
【課題を解決するための手段】
【０００８】
本発明によれば、調剤薬局のカウンターなどに、ネットワークを介してサーバと接続されている情報処理端末を設置し、薬剤師は服薬についての説明を患者に行うと同時に、この情報処理端末に、調剤した薬品の番号を直接入力するか、または処方箋に記載されているバーコードを情報処理端末に接続されているバーコード読み取り機を用いて情報処理端末に入力する事によって、調剤された薬品の用法、容量などについての薬品情報の音声データをダウンロードすることができる。この薬品情報の音声データをフレキシブルディスクあるいはCD-ROM、携帯電話、携帯型音声再生機器などの音声データの格納可能な外部記憶媒体にコピーし、患者にわたす。患者はそれを受け取り、帰宅後も外部記憶媒体に格納された音声情報を再生することにより簡単に調剤された薬品の用法、容量を確認でき、上記課題は達成できる。
【０００９】
薬品情報の音声データは一度ダウンロードした薬品については、情報処理端末のデータベースに保存されるため、次回からはサーバにアクセスすることなく患者へ渡す事が出来、短時間で前述の一連の処理を行うことが出来る。
【発明の効果】
【００１０】
本発明により、視覚障害者や高齢者は、帰宅後にも調剤された薬品についての情報を簡単に確認することができるために薬に対する認識、理解が充分得られ、服用を誤ることなく安心して薬を服用することができる。
【００１１】
また、本発明によるシステムが格納された情報処理端末を調剤薬局に設置することによって、患者へ薬品情報を音声として配布することができ、調剤薬局は患者へのより一層のサービスを提供でき、調剤薬局としての価値を高めることとなる。
【発明を実施するための最良の形態】
【００１２】
以下、本発明による薬品情報の音声配信システムについて図面を参考にして説明する。
図１は本発明による調剤薬局内の概略構成を説明した図である。
同図に示すように、調剤薬局のカウンター１０５には、ネットワークを介してサーバに接続されている情報処理端末１０１が設置されている。
【００１３】
調剤薬局のカウンター１０５に置かれた前記情報処理端末はネットワークに接続しており、薬品を指定すると、情報処理端末内にインストールされたプログラムによってサーバに対して直接アクセスできる構成である。
【００１４】
図２はサーバと調剤薬局の関係を示す図であり、調剤薬局は複数存在している。尚、サーバ２０２は記憶装置を有し、この記憶装置には後述するデータベースが構築されている。
【００１５】
図３はサーバならびに調剤薬局の情報処理端末に格納される薬品マスタの構成である。薬品マスタは薬品コード３０１、薬品名３０２、音声ファイル名ａ３０３、音声ファイル名ｂ３０４の各エリアで構成されている。音声ファイル名ａ３０３は薬品名称の音声情報ファイルと紐付けするコードが登録され、音声ファイル名ｂ３０４には薬品の用法、効能ならびに服用時の注意事項についての音声データＡ（４０３，５０４）および音声データＢ（４０４，５０５）と紐付けするコードが登録されている。
【００１６】
図４は前記サーバの模式図であり、記録装置に記憶されたプログラムに従って処理を行い、必要に応じてサーバに接続された記憶装置にアクセスする。
【００１７】
サーバのディスプレイ４０１には必要な情報が表示され、通信回線を介して情報の授受が行われる。尚、本例のシステム制御は、サーバ４０２に記憶されたプログラムに従って実行される。
【００１８】
図５は調剤薬局に置かれた情報処理端末の模式図であり、情報処理端末５０２には薬品を認識するための入力装置として、キーボード５０３ｂと、バーコード読み取り機５０３ａが接続されている。また、薬品の音声情報をコピーするための外部記録媒体５０７（CD−ROM、フレキシブルディスク、携帯電話、携帯型音声再生機器）への出力装置も接続されている。
【００１９】
情報処理端末５０２は、バーコード読み取り機５０３ａで処方箋に印字されているバーコードを読み取るか、キーボード５０３ｂより薬品番号を入力することによって、薬品を特定できるプログラムを内蔵している。
【００２０】
以上の構成において、以下に本例の処理を説明する。
調剤薬局は利用申込みを締結すると、調剤薬局内の情報処理端末には、薬品情報のデータベースと、本発明を利用できるシステムをインストールすることができる。
図７は本例の処理を説明するフローチャートである。先ず、患者は本システムがインストールされている調剤薬局に向かい、処方箋を薬剤師に渡し、薬剤師より口頭にて処方された薬品の説明を受け、薬剤師は本システムがインストールされている情報処理端末に処方する薬品のバーコードをキーボードから入力（ステップ（以下ＳＴで示す）１）、あるいはバーコード読み取り機に読み取らせる（ＳＴ３）
【００２１】
この入力により、情報処理端末にインストールされたプログラムが起動し、指定された薬品コードが薬品マスタに存在しない場合は、自動的にサーバに接続し（ＳＴ６）、サーバの薬品マスタから薬品の音声情報の配信を受け（ＳＴ９）、情報処理端末側のデータベースに追加する（ＳＴ１０）。
【００２２】
次に、指定された薬品の音声情報を情報処理端末側のデータベースより抽出し（ＳＴ１１）、入力によって指定された（ＳＴ１２）外部記憶媒体に上記薬品の音声情報をコピー（ＳＴ１３）し、患者は持ち帰る。
【００２３】
患者は自宅で、持ち帰った外部記憶媒体を操作し、処方された薬品の音声情報を聞く。（ＳＴ１５）
【図面の簡単な説明】
【００２４】
【図１】薬品情報の音声配信システムの調剤薬局内の構成を示す図である。
【図２】サーバと調剤薬局の関係を示す図である。
【図３】薬品マスタの構成を示す図である
【図４】サーバの模式図である。
【図５】調剤薬局の情報処理端末の模式図である。
【図６】帰宅後に患者が外部記憶媒体より薬品の音声情報を聞いている図である。
【図７】全体処理フローを説明する図である。
【符号の説明】
【００２５】
１０１  情報処理端末、
１０２  患者、
１０３  処方箋、
１０４  薬剤師、
１０５  カウンター、
１０６  調剤室、
１０７  調剤薬局、
２０１  ネットワーク、
２０２  管理サーバ、
２０３  調剤薬局、
３０１  薬品コード、
３０２  薬品名、
３０３  音声ファイル名ａ、
３０４  音声ファイル名ｂ、
４０１  サーバ用ディスプレイ、
４０２  サーバ、
４０３  サーバ用音声データＡ、
４０４  サーバ用音声データＢ、
４０５  サーバ用薬品マスタ、
５０１  調剤薬局用ディスプレイ、
５０２  調剤薬局用情報処理端末、
５０３ａ  バーコード読み取り機、
５０３ｂ  キーボード、
５０４  調剤薬局用音声データＡ、
５０５  調剤薬局用音声データＢ、
５０６  調剤薬局用薬品マスタ、
５０７  外部記憶媒体、
６０１  患者、
６０２  外部記憶媒体再生装置
【図１】
2009093300.tif 000003
【図２】
2009093300.tif 000004
【図３】
2009093300.tif 000005
【図４】
2009093300.tif 000006
【図５】
2009093300.tif 000007
【図６】
2009093300.tif 000008
【図７】
2009093300.tif 000009